(57)【要約】      （修正有）【課題】製作コストを低くし、分解作業および交換作業を便利にし、光触媒反応の使用寿命をより長く延ばせ、製品の実用性および経済性を向上する。【解決手段】本体１の上には、モータと羽根２２と前後側保護網２３，２４とが設置した受け台座２が枢設けてあり、中央に位置する定位部２１では、一蛍光灯３１１を固定するための蛍光灯座３が設けてあり、また、前側保護網の内側には蜂房式ろ過網４が設置してあり、前記蜂房式ろ過網は二酸化チタンを塗布した紙製品であり、前記蜂房式ろ過網は一網状蓋４１によって前側保護網の内側の表面に固定され一体化となることにより、羽根を回転させて風が吹くと、蛍光灯と蜂房式ろ過網の間には、特殊な波長および輝度の蛍光に照らされて、光触媒の殺菌と空気清潔化との条件が形成されることを特徴とする光触媒機能付き扇風機の構造。【選択図】図１
0003101206.tif 000002
【実用新案登録請求の範囲】
【請求項１】
本体の上には受け台座が枢設してあり、前記受け台座の内側には第一モータを設置するための定位部が形成してあり、第一モータの受け台座の後側に向く駆動端では羽根が設けてあり、前記羽根の外部には、前記受け台座の後側で設置する後側保護網が設けてあり、且つ前記定位部の前側には第二モータが接続してあり、前記第二モータの出力回転軸は前側保護網と装飾蓋とを順に接続する光触媒機能付き扇風機の構造において、
前記受け台座の前側には蛍光灯座が設置してあり、
定位部の周囲にある支持ロッド部には螺合孔が開けてあり、且つ蛍光灯座の前記螺合孔に応じる箇所には貫通孔が開けてあり、
前記蛍光灯座は蛍光灯を取り付けるために設けるものであり、
クリップ状の係止体および螺着素子は前記蛍光灯座と一緒に支持ロッド部で設置し、
前記前側保護網の受け台座に向く内側には蜂房式ろ過網が設置してあり、
前記蜂房式ろ過網は二酸化チタンを塗布した紙製品であり、
光触媒の材料を形成するために、前記蜂房式ろ過網は網状蓋によって前側保護網の内側の表面に固定され、且つ網状蓋に設ける突出部と貫通孔とは、前記前側保護網に設ける窪み部とネジ穴とに組合せて一体化となり、
羽根を回転させて風をおこすと、蛍光灯と蜂房式ろ過網の間には、特殊な波長および輝度の蛍光に照らされて、光触媒の殺菌と空気清潔化との条件が形成されることを特徴とする、
光触媒機能付き扇風機の構造。
【請求項２】
前記蜂房式ろ過網を、網状蓋なしで前側保護網に設置可能に構成したことを特徴とする、請求項１に記載の光触媒機能付き扇風機の構造。
【考案の詳細な説明】
【技術分野】
【０００１】
この考案は、本体の上に、モータと羽根と前後側保護網とが設置した受け台座が枢設けてあり、中央に位置する定位部では、一蛍光灯を固定するための蛍光灯座が設けてあり、また、前側保護網の内側には蜂房式ろ過網が設置してあり、前記蜂房式ろ過網は二酸化チタンを塗布した紙製品であり、前記蜂房式ろ過網は一網状蓋によって前側保護網の内側の表面に固定され一体化することにより、羽根を回転させて風が吹くと、蛍光灯と蜂房式ろ過網の間には、特殊な波長および輝度の蛍光に照らされて、光触媒の殺菌と空気清潔化との条件が形成される光触媒機能付き扇風機の構造に関するものである。
【背景技術】
【０００２】
一般に言うと、光触媒の作用原理は、光触媒材料とする二酸化チタンが紫外線に照射し励起されて、エヤと化学結合と分解反応をし、エヤにある有害な気体を無害な気体に分解する。このような反応により、有害な気体の分解と、殺菌と、消臭となどの効果を達成することができ、ひいては空気を清潔化することができる。最近、ある業者は光触媒の特性を、例えば室内外に使用されるエヤろ過器と、電灯と、クーラーと、扇風機となどの生活用品に応用し、使用者の病毒感染の可能性を有効に低減する。
【０００３】
図７に示すのは、目下の光触媒技術を応用する扇風機であり、これは後側網状蓋１０内には、一光触媒蛍光灯２０を係止するための多数の係止ストリップ１０１が設けてあり、前記光触媒蛍光灯２０は、光触媒薄膜層をメッキしたガラス繊維スリーブが蛍光灯の外部を被覆し、前記光触媒薄膜層は二酸化チタンで形成されたものである。前記光触媒蛍光灯２０は、紫外線を放射して前記光触媒薄膜層を照射し、化学反応を起こさせ、空気を清潔化する。
【考案の開示】
【考案が解決しようとする課題】
【０００４】
しかし、従来の光触媒技術を応用した扇風機には、次のような欠点があった。
＜１＞光触媒蛍光灯２０の製作コストが高すぎる。
＜２＞光触媒蛍光灯２０の光触媒薄膜層は、ある期間に使用すると効果がなくなってしまい、光触媒蛍光灯２０全体の交換が必要となるので、使用コストが高すぎる。
＜３＞光触媒蛍光灯２０を交換する場合には、扇風機のシェールを全部分解することが必要となるので、交換作業が極めて不便である。
【課題を解決するための手段】
【０００５】
上記欠点を解決するためになされた本願の考案は、一本体の上には受け台座が枢設してあり、前記受け台座の内側には第一モータを設置するための定位部が形成してあり、第一モータの受け台座の後側に向く駆動端では羽根が設けてあり、前記羽根の外部には、前記受け台座の後側で設置する一後側保護網が設けてあり、且つ前記定位部の前側には第二モータが接続してあり、前記第二モータの出力回転軸は一前側保護網と装飾蓋とを順序に接続する光触媒機能付き扇風機の構造において、前記受け台座の前側には蛍光灯座が設置してあり、定位部の周囲にある支持ロッド部には螺合孔が開けてあり、且つ蛍光灯座の前記螺合孔に応じる箇所には貫通孔が開けてあり、前記蛍光灯座は蛍光灯を取り付けるために設けるものであり、クリップ状の係止体および螺着素子は前記蛍光灯座と一緒に支持ロッド部で設置し、前記前側保護網の受け台座に向く内側には蜂房式ろ過網が設置してあり、前記蜂房式ろ過網は二酸化チタンを塗布した紙製品であり、光触媒の材料を形成するために、前記蜂房式ろ過網は一網状蓋によって前側保護網の内側の表面に固定され、且つ網状蓋に設ける突出部と貫通孔とは、前記前側保護網に設ける窪み部とネジ穴とに組合せて一体化となり、そうすると、羽根を回転させて風が吹くと、蛍光灯と蜂房式ろ過網の間には、特殊な波長および輝度の蛍光に照らされて、光触媒の殺菌と空気清潔化との条件が形成されることを特徴とする、光触媒機能付き扇風機の構造であることを要旨としている。
【０００６】
本願の考案では、当該蜂房式ろ過網は、網状蓋なしで前側保護網に設置することもできることを特徴とする、前記に記載の光触媒機能付き扇風機の構造であることを要旨としている。
【考案の効果】
【０００７】
この考案に係る光触媒機能付き扇風機の構造によれば、次のような効果がある。
＜１＞蛍光灯３１１及び蜂房式ろ過網４の作製コストは、従来の特殊な光触媒蛍光灯２０よりも安い。
＜２＞蜂房式ろ過網４の取り付けは極めて簡単であり、その設置する箇所は蛍光灯３１１と別々であるため、分解作業および交換作業は非常に便利であり、材料を無駄にすることがないこの斬新な構造は、従来のものより優れる。
＜３＞蜂房式ろ過網４と蛍光灯３１１とは別々に設置するため、取り付けや分解作業では、互いに影響せず、光触媒反応の使用寿命をより長く延ばすことができ、製品の実用性および経済性を向上することができる。
【考案を実施するための最良の形態】
【０００８】
以下、添付図面を参照して、本考案の好適な実施の形態を詳細に説明する。
【０００９】
まず、図１乃至図５を参照する。この考案に係る光触媒機能付き扇風機の構造は、一本体１の上に、風向の角度を調整できる一受け台座２が枢設してあり、前記受け台座２の内側には第一モータを設置するための定位部２１が形成してあり、第一モータの受け台座２の後側に向く駆動端では羽根２２が設けてあり、前記羽根２２の外部には、前記受け台座２の後側で設置する一後側保護網２３が設けてあり、且つ前記定位部２１にある第一モータの前側には第二モータが接続してあり、前記第二モータの出力回転軸２１１は一前側保護網２４と装飾蓋２５とを順に接続する。
【００１０】
また、前記受け台座２１の前側には蛍光灯座３が設置してあり、定位部２１の周囲にある支持ロッド部２１２には螺合孔２１３が開けてあり、且つ蛍光灯座３の前記螺合孔２１３に応じる箇所には貫通孔３１が開けてあり、前記蛍光灯座３は、環状な窪みであり、蛍光灯３１１を取り付けるために設けるものであり、クリップ状の係止体３１２および螺着素子３１３は前記蛍光灯座３と一緒に支持ロッド部２１２で設置する。
【００１１】
また、前側保護網２４の受け台座２に向く内側には蜂房式ろ過網４が設置してあり（図２乃至図６参照）、蜂房式ろ過網４は二酸化チタンを塗布した紙製品であり、光触媒の材料を形成するために、蜂房式ろ過網４は一網状蓋４１によって前側保護網２４の内側の表面に固定され、且つ網状蓋４１に設ける突出部４１１と貫通孔４１２とは、前記前側保護網２４に設ける窪み部２４１とネジ穴２４２とに組合せて一体化となる。
【００１２】
光触媒の作用を形成する本考案の上記構造は、蛍光灯３１１と、蜂房式ろ過網４とを含み、その作製と組合せは極めて容易であるとともに、前記蜂房式ろ過網４は前側保護網２４の後側を全部覆うため、羽根を回転させて風を吹き、特殊な波長および輝度の紫外線が蜂房式ろ過網４を照射すると、光触媒の殺菌と空気清潔化との条件が形成される。
【図面の簡単な説明】
【００１３】
【図１】この考案に係る光触媒機能付き扇風機の構造を示す分解斜視図である。
【図２】この考案の光触媒塗料を塗った前後側部材を示す斜視図である。
【図３】この考案に係る光触媒機能付き扇風機の構造の組合わせた状態を示す側面図である。
【図４】図３における上端の一部を示す拡大断面図である。
【図５】この考案に係る光触媒機能付き扇風機の構造の実施例を示す正面図である。
【図６】この考案に係る光触媒機能付き扇風機の構造の光触媒を塗布した部材を示す拡大図である。
【図７】従来のものの構造を示す概略図である。
【符号の説明】
【００１４】
（この考案の部分）
１          本体                  ２        受け台座
２１        定位部                ２１１    出力回転軸
２１２      支持ロッド部          ２１３    螺合孔
２２        羽根                  ２３      後側保護網
２４        前側保護網            ２４１    窪み部
２４２      ネジ穴                ２５      装飾蓋
３          蛍光灯座              ３１      貫通孔
３１１      蛍光灯                ３１２    係止体
３１３      螺着素子              ４        蜂房式ろ過網
４１        網状蓋                ４１１    突出部
４１２      貫通孔
（従来の部分）
１０        後側網状蓋            １０１    係止ストリップ
２０        光触媒蛍光灯
【図１】
0003101206.tif 000003
【図２】
0003101206.tif 000004
【図３】
0003101206.tif 000005
【図４】
0003101206.tif 000006
【図５】
0003101206.tif 000007
【図６】
0003101206.tif 000008
【図７】
0003101206.tif 000009